(57)【要約】【課題】軽くて且つ材料構成が簡単で、雨や光の少なくとも一部を遮断することが可能な遮蔽具を提供する。【解決手段】遮蔽具１は、複数の切り込みを有するシートで構成された遮蔽具であって、シートを伸ばして、切り込みを開口させ、開口により切り込みに基づく開口部１１ａの周囲の少なくとも一部が突出した状態で、枠に取り付けられる。シートを伸ばす方向は、遮蔽具１が取り付けられる枠の縦枠と平行である。切り込みは、遮蔽具１が取り付けられる枠の横枠と平行な直線形状であるか、縦枠と平行な方向に湾曲している形状である。【選択図】図３
2012057434.tif 000002
【特許請求の範囲】
【請求項１】
複数の切り込みを有するシートで構成された遮蔽具であって、
前記シートを伸ばして、前記切り込みを開口させ、開口により前記切り込みに基づく開口部の周囲の少なくとも一部が突出した状態で、枠に取り付けられることを特徴とする遮蔽具。
【請求項２】
前記シートを伸ばす方向は、前記遮蔽具が取り付けられる枠の縦枠と平行であることを特徴とする請求項１に記載の遮蔽具。
【請求項３】
前記切り込みは、前記遮蔽具が取り付けられる枠の横枠と平行な直線形状であるか、前記縦枠と平行な方向に湾曲している形状であることを特徴とする請求項２に記載の遮蔽具。
【請求項４】
棒状部材を更に備え、
前記棒状部材は、前記縦枠と平行な状態で前記シートに取り付けられ、前記シートが伸ばされた状態での前記枠への取り付けを維持するために使用されることを特徴とする請求項３に記載の遮蔽具。
【請求項５】
前記棒状部材は、前記切り込みの開口部を通るようにして、前記シートに取り付けられることを特徴とする請求項４に記載の遮蔽具。
【請求項６】
前記棒状部材は、等間隔に並べられ、端部から斜め下方向に延びる切り欠きで出来た挿入部を有し、
前記開口部の上部の突出した部分が、前記挿入部に挿入された状態で、前記棒状部材は前記シートに取り付けられることを特徴とする請求項４に記載の遮蔽具。
【請求項７】
前記シートの前記枠への取り付けは、貼着部材または掛け止め部材または嵌合部材を使って行われることを特徴とする請求項１に記載の遮蔽具。
【請求項８】
前記シートの前記枠への取り付けの少なくとも一つは、貼着部材を使って行われ
前記シートの塑性変形の範囲内で、前記シートを伸ばして前記遮蔽具が形成されることを特徴とする請求項７に記載の遮蔽具。
【請求項９】
前記シートの前記枠への取り付けの少なくとも一つは、掛け止め部材または嵌合部材または着脱自在な貼着部材を使って行われ、
前記シートは、前記掛け止め部材の掛け止めまたは前記嵌合部材の嵌合状態または前記貼着部材の貼り付け状態が解除された時に、巻き取って収納されることを特徴とする請求項７に記載の遮蔽具。
【請求項１０】
前記シートは、前記切り込みが入った状態で、ロール状にされ、
前記枠への取り付けに必要な長さだけ切り取られて使用されることを特徴とする請求項１に記載の遮蔽具。
【発明の詳細な説明】
【技術分野】
【０００１】
本発明は、雨や光などの侵入を遮断する遮蔽具に関する。
【背景技術】
【０００２】
従来、網戸などに取り付ける雨よけ器具が提案されており、特許文献１は、雨よけの羽根を複数枚並べた雨よけ器具を開示する。
【先行技術文献】
【特許文献】
【０００３】
【特許文献１】特開２００１−２０７７４６号公報
【発明の概要】
【発明が解決しようとする課題】
【０００４】
しかし、複数枚の雨よけの羽根を両側で保持するチャンネルとともに網戸に固定する形態であり、材料構成が複雑で且つ重量が重くなる。
【０００５】
したがって本発明の目的は、軽くて且つ材料構成が簡単で、雨や光の少なくとも一部を遮断することが可能な遮蔽具を提供することである。
【課題を解決するための手段】
【０００６】
本発明に係る遮蔽具は、複数の切り込みを有するシートで構成された遮蔽具であって、シートを伸ばして、切り込みを開口させ、開口により切り込みに基づく開口部の周囲の少なくとも一部が突出した状態で、枠に取り付けられる。
【０００７】
シートを引っ張ると、シートに設けられた切り込みは、略菱形形状の開口部を形成し、シートの端部に設けられた切り込みは、略二等辺三角形形状に開いて股部を形成する。これらの切り込みの開きにより、シートが引っ張った方向に伸びる。
【０００８】
このため、シートは、伸ばす前の状態では、シートが取り付けられる枠よりも短いが、シートが取り付けられる枠とほぼ同じになるように伸ばして、枠にシートを取り付けることが可能になる。
【０００９】
また、開口に伴って、切り込みに基づく開口部の上部や下部が突出する。
【００１０】
かかる突出部分が庇の役割を果たすため、網戸の外側にシートを取り付けた場合には、雨や埃など斜め方向からの侵入物を遮断することが可能になる（雨よけ機能）。また、シートが色を塗った素材である場合には、かかる庇によって、外光の一部を遮断することも出来る（遮光機能）。
【００１１】
また、シートに切り込みを設け、かかるシートを伸ばして遮蔽具を構成するため、雨よけの羽根を複数枚設けた形態に比べて、軽くて且つ材料構成が簡単で、雨や光の少なくとも一部を遮断する庇の役割を果たす遮蔽具を構成することが可能になる。
【００１２】
好ましくは、シートを伸ばす方向は、遮蔽具が取り付けられる枠の縦枠と平行である。
【００１３】
さらに好ましくは、切り込みは、遮蔽具が取り付けられる枠の横枠と平行な直線形状であるか、縦枠と平行な方向に湾曲している形状である。
【００１４】
湾曲させた場合、開口部の周囲の突出する部分の形状が上部のものと下部のものとで非対称となり、直線状の切り込みに比べて、開口部からの突出量が多い部分（上部か下部かいずれか）が出来るため、雨よけなどの遮蔽機能を向上させる効果も得られる。
【００１５】
さらに好ましくは、棒状部材を更に備え、棒状部材は、縦枠と平行な状態でシートに取り付けられ、シートが伸ばされた状態での枠への取り付けを維持するために使用される。
【００１６】
風によるシートのばたつきを抑制し、シート（遮蔽具）が枠に取り付けられた状態を維持しやすく出来る。
【００１７】
さらに好ましくは、棒状部材は、切り込みの開口部を通るようにして、シートに取り付けられる。
【００１８】
棒状部材のシートへの取り付けが比較的簡単にできる上、シートと棒状部材とが密着した状態になり、ばたつき抑制効果を得られやすく出来る。
【００１９】
また、好ましくは、棒状部材は、等間隔に並べられ、端部から斜め下方向に延びる切り欠きで出来た挿入部を有し、開口部の上部の突出した部分が、挿入部に挿入された状態で、棒状部材はシートに取り付けられる。
【００２０】
シートが長い場合には、シートの重みで、開口部の上部の突出方向が一定せず、すなわち開口部の上部の一部が前側に突出せず、庇として機能しないおそれがあるが、棒状部材の挿入部に開口部の上部を挿入させることで、上部の突出方向を一定にすることが可能になる。
【００２１】
また、好ましくは、シートの枠への取り付けは、貼着部材、フックなどの掛け止め部材、ホックなどの嵌合部材を使って行われる。
【００２２】
貼着部材を使った場合には、貼り付けにより、簡単に、シート（遮蔽部）を枠に取り付けることが可能になる。特に、貼着部材として、面ファスナーを使用した場合には、着脱自在な状態で、貼り付けを行うことが可能になる。
【００２３】
また、掛け止め部材を使った場合には、掛け止め部材の掛け止めを解除することにより（嵌合部材を使った場合には、嵌合状態を解除することにより、面ファスナーなどの着脱自在な貼着部材を使った場合には、貼り付け状態を解除することにより）、シートの枠への取り付けを解除することが可能になる。
【００２４】
シート１０の両端を、掛け止め部材を介して掛け止めした場合には、両端の掛け止め部材の掛け止めを解除することにより（嵌合部材を介して嵌め合わせした場合には、両端の嵌合状態を解除することにより、面ファスナーなどの着脱自在な貼着部材を使った場合には、貼り付け状態を解除することにより）、シートを枠から取り外すことが出来、必要に応じて、シートを取り付けたり取り外したりすることが可能になる。
【００２５】
さらに好ましくは、シートの枠への取り付けの少なくとも一つは、貼着部材を使って行われシートの塑性変形の範囲内で、シートを伸ばして遮蔽具が形成される。
【００２６】
塑性変形の範囲内で伸ばされたシート（遮蔽具）が枠に取り付けられた場合には、シート（遮蔽具）から、開口部を閉じてシートに戻ろうとする力が殆ど発生しない。このため、弾性変形の範囲内で伸ばされたシート（遮蔽具）が枠に取り付けられる形態に比べて、遮蔽具の形状を維持しやすい。
【００２７】
また、好ましくは、シートの枠への取り付けの少なくとも一つは、掛け止め部材または嵌合部材または着脱自在な貼着部材を使って行われ、シートは、掛け止め部材の掛け止めまたは嵌合部材の嵌合状態または貼着部材の貼り付け状態が解除された時に、巻き取って収納される。
【００２８】
掛け止め部材を介した掛け止めが解除されたシート（または嵌合部材を介した嵌合状態が解除されたシート、または着脱自在な貼着部材を介した貼着状態が解除されたシート）を折りたたんだり、巻き取って他方の端部近傍に収納したりすることが可能になる。
【００２９】
また、好ましくは、シートは、切り込みが入った状態で、ロール状にされ、枠への取り付けに必要な長さだけ切り取られて使用される。
【００３０】
施工時に必要な長さ分だけ切り取って使用することが可能になる。
【発明の効果】
【００３１】
以上のように本発明によれば、軽くて且つ材料構成が簡単で、雨や光の少なくとも一部を遮断することが可能な遮蔽具を提供することができる。
【図面の簡単な説明】
【００３２】
【図１】本実施形態における取り付け前のシートと網戸を示す斜視図である。
【図２】取り付け後のシートと網戸を示す斜視図である。
【図３】取り付け後の遮蔽具と網戸を示す斜視図である。
【図４】遮蔽具における開口部の上部や下部がｚ方向に突出した状態を示す斜視図である。
【図５】取り付け前の遮蔽具と網戸を示す斜視図である。
【図６】開口部を通る第１棒状部材が取り付けられた遮蔽具と網戸を示す斜視図である。
【図７】掛け止め部材としてフックを使って網戸に掛け止めされた遮蔽具と網戸を示す斜視図である。
【図８】切り込みが入れられ、且つロール状に巻かれた状態のシートを示す斜視図である。
【図９】嵌合部材としてホックが使用された場合の、ホックとシートや網戸の位置関係を示す図である。
【図１０】第２棒状部材を取り付ける前の遮蔽具と網戸を示す斜視図である。
【図１１】第２棒状部材の挿入部にシートの一部（開口部の上部）が挿入された状態を示す斜視図である。
【発明を実施するための形態】
【００３３】
以下、本実施形態について、図を用いて説明する。方向を説明するために、遮蔽具１（シート１０）が取り付けられる網戸５の横枠に平行な水平方向をｘ方向とし、ｘ方向に垂直で、網戸５の縦枠に平行な鉛直方向をｙ方向とし、ｘ方向、ｙ方向と垂直な方向（網戸５とシート１０とを重ねる方向）をｚ方向とする。
【００３４】
本実施形態における遮蔽具１は、複数の切り込み１０ａ、１０ｂを有するシート１０で構成され（図２参照）、シート１０をｙ方向に伸ばして、切り込み１０ａ、１０ｂを開口させ、開口により切り込み１０ａ、１０ｂの周囲の少なくとも一部（上部と下部）がシート１０の面に垂直なｚ方向に突出した立体形状で、網戸５の枠に取り付けられる。
【００３５】
シート１０は、ｘ方向の長さが、シート１０が取り付けられる網戸５の横枠の長さとほぼ同じで、ｙ方向の長さが、ｙ方向にシート１０を引っ張って伸ばす前の状態で、シート１０が取り付けられる網戸５の縦枠よりも短く（図２参照）、ｙ方向にシート１０を引っ張って伸ばした状態で、シート１０が取り付けられる網戸５の縦枠とほぼ同じになるものが使用される（図３参照）。
【００３６】
シート１０は、樹脂またはアルミなどの軽金属で構成され、ｘ方向に略平行な直線状の切り込み１０ａ、１０ｂを有する。切り込み１０ａ、１０ｂは、シート１０をｙ方向に引っ張って伸ばし、ｚ方向から見て切り込みが開口した時に、シート１０（遮蔽具１）が菱格子を形成するように、配置される。すなわち、切り込みがある領域と無い領域が、ｘ方向にもｙ方向にも交互に配列されるように、切り込み１０ａ、１０ｂが形成される。
【００３７】
具体的には、ある列では、シート１０の内側に２つの切り込み１０ａが設けられ、両端には、切り込み１０ａの半分の長さの切り込み１０ｂが設けられる。かかる列にｙ方向に隣接する列では、シート１０の内側に３つの切り込み１０ａが設けられる。隣接する切り込みのｘ方向の間隔が同じになるように、切り込みが設けられる。
【００３８】
シート１０を切り込みの方向と略垂直な方向、すなわちｙ方向に引っ張ると、シート１０の内側に設けられた切り込み１０ａは、略菱形形状の開口部１１ａを形成し、シート１０の端部に設けられた切り込み１０ｂは、略二等辺三角形形状に開いて股部１１ｂを形成する。これらの切り込みの開きにより、シート１０のｙ方向の長さが伸びる。
【００３９】
このため、シート１０は、ｙ方向の長さが、ｙ方向にシート１０を引っ張って伸ばす前の状態では、シート１０が取り付けられる網戸５の縦枠よりも短いが、ｙ方向にシート１０を引っ張ることにより、シート１０が取り付けられる網戸５の縦枠とほぼ同じになるように伸ばして、網戸５の枠にシート１０を取り付けることが可能になる。
【００４０】
このとき、シート１０が塑性変形をしないように、すなわち、シート１０の弾性変形の範囲内で、シート１０のｙ方向の長さが、シート１０が取り付けられる網戸５の縦枠とほぼ同じ長さになるように、引っ張り前のシート１０のｙ方向の長さや、切り込みの数やｘ方向の長さ、及びシート１０の材質が決定される。
【００４１】
また、開口に伴って、切り込み１０ａに基づく開口部１１ａや切り込み１０ｂに基づく股部１１ｂの上部または下部がｚ方向の一方（例えば前方向）に突出し、切り込み１０ａに基づく開口部１１ａや切り込み１０ｂに基づく股部１１ｂの下部または上部がｚ方向の他方（例えば後方向）に突出する（図４参照）。
【００４２】
かかる突出部分が庇の役割を果たすため、網戸５の外側にシート１０を取り付けた場合には、雨や埃など斜め方向からの侵入物を遮断することが可能になる（雨よけ機能）。また、シート１０が色を塗った素材である場合には、かかる庇によって、外光の一部を遮断することも出来る（遮光機能）。雨よけ機能は、開口部１１ａの上部が前（外側）に突出している場合に、その効果を得られやすい。
【００４３】
また、シート１０に切り込み１０ａ、１０ｂを設け、ｙ方向に引っ張って遮蔽具１を構成する本実施形態は、網戸５の前（外側）に、雨よけの羽根を複数枚設けた形態に比べて、軽くて且つ材料構成が簡単で、雨や光の少なくとも一部を遮断する庇の役割を果たす遮蔽具を構成することが可能になる。
【００４４】
なお、シート１０を引っ張って伸ばす力を大きくすると、開口部１１ａのｙ方向の開き度合いが大きくなり、開口部１１ａの上部や下部のｚ方向の突出量が大きくなる。このため、シート１０をｙ方向に引っ張る力、すなわちシート１０をｙ方向に伸ばす量を調整することにより、開口部１１ａの周囲のｚ方向の突出量を調整出来る。
【００４５】
開口部１１ａの周囲のｚ方向の突出量が多くなると、庇効果が得られやすくなり、斜め上方からの雨や光の侵入を遮断する効果は大きくなる。但し、開口部１１ａが大きくなるため、横方向（ｚ方向）からの光の侵入を遮断する効果は小さくなる可能性があり、遮断する対象に応じて、開口部１１ａの周囲のｚ方向の突出量を調整する必要がある。
【００４６】
ｙ方向に引っ張って伸ばした状態のシート１０（遮蔽具１）の網戸５の枠への取り付けは、貼着部材１３を使って、シート１０のｙ方向の両端部を網戸５の横枠の両端部に貼り付ける方法が考えられる。
【００４７】
シート１０の取り付けは、シート１０のｙ方向の端部の一方（上側端部）を網戸５に取り付けてから、シート１０をｙ方向に伸ばして、遮蔽具１を形成し、シート１０（遮蔽具１）のｙ方向の端部の他方（下側端部）を網戸５に取り付ける形態が考えられるが、遮蔽具１を形成してから、網戸５に取り付ける形態であってもよい（図５参照）。
【００４８】
貼り付けにより、簡単に、シート１０（遮蔽部１）を網戸５の枠に取り付けることが可能になる。取り付けを確実にするためには、更に、ｘ方向の両端部についても、貼着部材を使って、網戸５の縦枠の両端部に貼り付けるのが望ましい（不図示）。図３は、シート１０のｙ方向の両端部を、テープなどの貼着部材１３を使って、網戸５の横枠に貼り付けた状態を示す。
【００４９】
さらに、風によるシート１０のばたつきを抑制し、シート１０（遮蔽具１）が網戸５の枠に取り付けられた状態を維持しやすくするために、シート１０の外縁や内側に支柱を取り付ける形態であってもよい（少なくとも、ｙ方向に平行な棒状部材を一つ）。
【００５０】
例えば、内側の縦支柱（第１棒状部材１５）が、切り込み１０ａの開口部１１ａを通るようにして、シート１０に取り付けられると、第１棒状部材１５のシート１０への取り付けが比較的簡単にできる上、シート１０と第１棒状部材１５とが簡単に密着した状態になり、ばたつき抑制効果を得られやすく出来る（図６参照）。また、さらに、シート１０（遮蔽具１）の外周部分にも、第１棒状部材１５を取り付けて、さらにばたつきを抑制する形態であってもよい（不図示）。
【００５１】
なお、ｙ方向に引っ張った状態のシート（遮蔽具）１０の網戸５の枠への取り付けは、貼り付けだけでなく、他の方法であってもよい。
【００５２】
例えば、シート１０のｙ方向の端部の少なくとも一方を、フック１７を介して網戸５の枠に設けた掛け止め部（穴）６に掛け止めする形態が考えられる。図７は、シート１０のｙ方向の端部の一方（上側端部）を網戸５の横枠にテープなどの貼着部材１３を介して貼り付けし、シート１０のｙ方向の端部の他方（下側端部）を網戸５の横枠にフック１７を介して掛け止めした状態を示す。この場合には、フック１７の掛け止めを解除する（フック１７を掛け止め部６から外す）ことにより、シート１０が弾性変形で伸ばされた状態が解除され、シート１０の網戸５の枠への取り付けを解除することが可能になる。
【００５３】
シート１０のｙ方向の一方の端部（上側端部）も、網戸５の横枠に対して、フック１７を介して掛け止めした場合（不図示）には、両端のフック１７の掛け止めを解除することにより、シート１０を網戸５の枠から取り外すことが出来、必要に応じて、シート１０を取り付けたり取り外したりすることが可能になる。
【００５４】
また、シート１０のｙ方向の一方の端部（上側端部）を、テープなどの貼着部材１３を介して網戸５の横枠に貼り付けた場合（図７参照）には、シート１０を網戸５から取り外すことは出来ないが、他方の端部（下側端部）のフック１７を介した掛け止めが解除されたシート１０を折りたたんだり、巻き取って一方の端部（上側端部）の近傍に収納したりすることが可能になる。
【００５５】
なお、テープに代えて、貼着部材として面ファスナーを使用した場合には、着脱自在な状態（貼着状態の解除が可能な状態）で、貼り付けを行うことが可能になる。
【００５６】
シート１０は、１つの網戸５の枠に取り付ける分だけの長さのものを用意する形態であってもよいし、１つの網戸５の枠に取り付ける分だけの長さ以上のものをロール状にし、施工時に必要な長さ分だけ切り取って使用する形態であってもよい（図８参照）。
【００５７】
本実施形態では、弾性変形の範囲内で、シート１０を鉛直方向（ｙ方向）に伸ばして、遮蔽具１を形成し、これを網戸５などの枠に取り付ける形態を説明したが、塑性変形で且つ切り込み１０ａなどが破断しない範囲内で、シート１０を鉛直方向（ｙ方向）に伸ばして、遮蔽具１を形成し、これを網戸５などの枠に取り付ける形態であってもよい。この場合は、取り付け状態を解除しても、遮蔽具１は、元のシート１０の形状には戻らない。
【００５８】
塑性変形の範囲内で伸ばされたシート１０（遮蔽具１）が網戸５の枠に取り付けられた場合には、シート１０（遮蔽具１）から、開口部１１ａを閉じてシート１０に戻ろうとする力が殆ど発生しない。このため、弾性変形の範囲内で伸ばされたシート１０（遮蔽具１）が網戸５の枠に取り付けられる形態に比べて、遮蔽具１の形状を維持しやすい。
【００５９】
また、シート１０に設ける切り込み１０ａの形状は、ｘ方向に平行な直線形状であってもよいが、ｙ方向のいずれかに湾曲した形状であってもよい。この場合、開口部１１ａの周囲のｚ方向に突出する部分の形状が上部のものと下部のものとで非対称となり、直線状の切り込みに比べて、開口部１１ａからのｚ方向の突出量が多い部分（上部か下部かいずれか）が出来るため、雨よけなどの遮蔽機能を向上させる効果も得られる。
【００６０】
また、本実施形態では、平面上のシート１０を鉛直方向（ｙ方向）に伸ばして、切り込み１０ａから開口部をつくって立体的な形状の遮蔽具１を形成する形態を説明したが、金型を使って遮蔽具１が形成される形態であってもよい。具体的には、かかる遮蔽具１は、複数の開口部１１ａや股部１１ｂを備え、かかる開口部１１ａの周囲の一部が前後方向（ｚ方向）に突出した立体形状を有し、網戸５などの枠に取り付けられる。
【００６１】
また、遮蔽具１を取り付ける対象物は、網戸５の枠だけに限らず、窓枠など他の枠であってもよい。また、二重窓ガラスの間に配置する形態、部屋の仕切り（パーティション）、吹き抜けの側面や天面に設けられた窓に設置する形態など、雨よけ機能を発揮しないが、外光の一部を遮断するために使用されるものであってもよい。
【００６２】
また、本実施形態では、切り込みの方向が水平方向（ｘ方向）で、シート１０を伸ばす方向が鉛直方向（ｙ方向）である形態を説明したが、切り込みの方向が鉛直方向で、シート１０を伸ばす方向が水平方向である形態であってもよい。
【００６３】
また、本実施形態では、切り込み１０ａ、１０ｂが、シート１０をｙ方向に引っ張って伸ばし、ｚ方向から見て切り込みが開口した時に、シート１０（遮蔽具１）が菱格子を形成するように、配置される形態を説明したが、開口した時に、開口部の周囲の一部がｚ方向に突出して庇の役割を果たす限りにおいて他の配列であってもよい。
【００６４】
また、シート１０の網戸５の枠への掛け止め部材は、フック１７と掛け止め部６との組合せに限らない。例えば、フック１７は、網戸５の枠の外縁に掛け止めする形態であってもよい。
【００６５】
また、掛け止め部材に代えて、凸部１８ａと凹部１８ｂとを有するホック１８などの嵌合部材を使って嵌め合わせする形態であってもよい（図９参照）。具体的には、ホック１８の凹部１８ｂを網戸５の網のｙ方向の端部に取り付け、ホック１８の凸部１８ａをシート１０の取り付け時に凹部１８ｂに対向する位置に取り付け、凸部１８ａと凹部１８ｂとを嵌め合わせする。この場合、フック１７を使った掛け止めに比べて、嵌め合わせしている部分が見えにくいメリットがある。
【００６６】
また、シート１０のばたつきを抑制する支柱は第１棒状部材１５のように、開口部１１ａを通る形態に限らない。例えば、ｚ方向に等間隔に並べられ、それぞれが端部から斜め下方向に延びる切り欠きで出来た挿入部１６ａを有する第２棒状部材１６を遮蔽具１の前側から取り付け、第２棒状部材１６と網戸５とで遮蔽具１を挟む形態であってもよい（図１０、図１１参照）。
【００６７】
この場合は、遮蔽具１の開口部１１の上部の突出した部分が挿入部１６ａに挿入される。第２棒状部材１６の上部と下部にはフック１７などの取り付け部材（またはホック１８などの嵌合部材または面ファスナーなどの着脱自在な貼着部材）が設けられ、網戸５の枠に取り付けられる。シート１０がｙ方向に長い場合には、シート１０の重みで、開口部１１の上部のｚ方向の突出方向が一定せず、すなわち開口部１１の上部の一部がｚ方向の前側に突出せず、雨よけ用の庇として機能しないおそれがあるが、第２棒状部材１６の挿入部１６ａに開口部１１の上部を挿入させることで、上部のｚ方向の突出方向を一定にすることが可能になる。
【符号の説明】
【００６８】
１  遮蔽具
５  網戸
６  掛け止め部
１０  シート
１０ａ、１０ｂ  切り込み
１１ａ  開口部
１１ｂ  股部
１３  貼着部材
１５  第１棒状部材
１６  第２棒状部材
１６ａ  挿入部
１７  フック
１８  ホック
１８ａ  ホックの凸部
１８ｂ  ホックの凹部
【図１】
2012057434.tif 000003
【図２】
2012057434.tif 000004
【図３】
2012057434.tif 000005
【図４】
2012057434.tif 000006
【図５】
2012057434.tif 000007
【図６】
2012057434.tif 000008
【図７】
2012057434.tif 000009
【図８】
2012057434.tif 000010
【図９】
2012057434.tif 000011
【図１０】
2012057434.tif 000012
【図１１】
2012057434.tif 000013